【手続補正書】
【提出日】平成27年8月26日(2015.8.26)
【手続補正１】
【補正対象書類名】特許請求の範囲
【補正対象項目名】全文
【補正方法】変更
【補正の内容】
【特許請求の範囲】
【請求項１】
独立に発光を制御可能な複数の光源と、
１周期内の点灯期間と消灯期間の長さにより決まるデューティ比を周期毎に変更可能なパルス幅変調により各光源を駆動する駆動手段と、
映像信号の１フレーム期間の長さがパルス幅変調の周期の複数個分の長さである場合に、映像信号に基づいて決められる１フレーム期間内の光源の点灯期間を、それぞれが１又は複数個の周期からなる複数のグループに振り分けて複数個の周期の各々のデューティ比を決定する制御手段と、
所定の測定期間にわたって測定対象の光源から受光することにより当該測定対象の光源の輝度を測定する測定手段と、
を備え、
前記制御手段は、前記測定期間において測定対象でない光源を消灯させるとともに、所定の条件下においては、当該測定のための消灯期間が設定されるグループとは別のグループにおいて点灯期間を長くする照明装置。
【請求項２】
前記制御手段は、前記測定のための消灯期間が所定の比率に基づいて決定する点灯期間内に設定される光源に対して、当該測定のための消灯期間が設定されるグループとは別のグループにおいて点灯期間を長くする請求項１に記載の照明装置。
【請求項３】
前記制御手段は、前記測定のための消灯期間が設定されるグループにおいて当該消灯期間に相当する長さだけ点灯期間を長くすることができる場合、当該グループの点灯期間を長くし、前記測定のための消灯期間が設定されるグループにおいて当該消灯期間に相当する長さだけ点灯期間を長くすることができない場合、当該グループと同じフレームの別のグループの点灯期間を長くする請求項１又は２に記載の照明装置。
【請求項４】
前記制御手段は、前記測定のための消灯期間の長さをデューティ比に換算した値をＴｓ（Ｔｓは％換算の値である）とした場合に、当該消灯期間が設定されるグループの最後のパルス幅変調の周期のデューティ比が（１００−Ｔｓ）％以下のときに、当該グループの点灯期間を長くする請求項３に記載の照明装置。
【請求項５】
前記制御手段は、前記測定のための消灯期間の長さをデューティ比に換算した値をＴｓ
（Ｔｓは％換算の値である）とした場合に、当該消灯期間が設定されるグループの最後のパルス幅変調の周期のデューティ比が（１００−Ｔｓ）％より大きいときに、当該グループと同じフレームの別のグループの点灯期間を長くする請求項３に記載の照明装置。
【請求項６】
前記制御手段は、前記測定のための消灯期間がどのグループに設定された場合でもそのグループに当該消灯期間に相当する長さだけ点灯期間を長くすることができるように前記所定の比率を定める請求項１〜３のいずれか１項に記載の照明装置。
【請求項７】
前記制御手段は、どのグループについても、そのグループを構成するパルス幅変調の周期のうち最後の周期に、前記測定のための消灯期間に相当する長さ以上の長さの消灯期間が存在するように前記所定の比率を定める請求項６に記載の照明装置。
【請求項８】
前記制御手段は、１フレーム期間内の光源の点灯期間の長さに応じて前記所定の比率を変更する請求項１〜７のいずれか１項に記載の照明装置。
【請求項９】
前記複数の光源は、各々１又は複数の光源からなる複数のエリアによって分けられ、
前記制御手段は、映像信号に応じてエリア毎に１フレーム期間内の光源の点灯期間を決定する請求項１〜８のいずれか１項に記載の照明装置。
【請求項１０】
請求項１〜９のいずれか１項に記載の照明装置を有する画像表示装置用のバックライト装置。
【請求項１１】
独立に発光を制御可能な複数の光源と、
１周期内の点灯期間と消灯期間の長さにより決まるデューティ比を周期毎に変更可能なパルス幅変調により各光源を駆動する駆動手段と、
を備える照明装置の制御方法であって、
映像信号の１フレーム期間の長さがパルス幅変調の周期の複数個分の長さである場合に、映像信号に基づいて決められる１フレーム期間内の光源の点灯期間を、それぞれが１又は複数個の周期からなる複数のグループに振り分けて複数個の周期の各々のデューティ比を決定する制御工程と、
所定の測定期間にわたって測定対象の光源から受光することにより当該測定対象の光源の輝度を測定する測定工程と、
を有し、
前記制御工程では、前記測定期間において測定対象でない光源を消灯させるとともに、所定の条件下においては、当該測定のための消灯期間が設定されるグループとは別のグループにおいて点灯期間を長くする照明装置の制御方法。
【請求項１２】
前記制御工程では、前記測定のための消灯期間が所定の比率に基づいて決定する点灯期間内に設定される光源に対して、当該測定のための消灯期間が設定されるグループとは別のグループにおいて点灯期間を長くする請求項１１に記載の照明装置の制御方法。
【請求項１３】
前記制御工程では、前記測定のための消灯期間が設定されるグループにおいて当該消灯期間に相当する長さだけ点灯期間を長くすることができる場合、当該グループの点灯期間を長くし、前記測定のための消灯期間が設定されるグループにおいて当該消灯期間に相当する長さだけ点灯期間を長くすることができない場合、当該グループと同じフレームの別のグループの点灯期間を長くする請求項１１又は１２に記載の照明装置の制御方法。
【請求項１４】
前記制御工程では、前記測定のための消灯期間の長さをデューティ比に換算した値をＴｓ（Ｔｓは％換算の値である）とした場合に、当該消灯期間が設定されるグループの最後のパルス幅変調の周期のデューティ比が（１００−Ｔｓ）％以下のときに、当該グループ
の点灯期間を長くする請求項１３に記載の照明装置の制御方法。
【請求項１５】
前記制御工程では、前記測定のための消灯期間の長さをデューティ比に換算した値をＴｓ（Ｔｓは％換算の値である）とした場合に、当該消灯期間が設定されるグループの最後のパルス幅変調の周期のデューティ比が（１００−Ｔｓ）％より大きいときに、当該グループと同じフレームの別のグループの点灯期間を長くする請求項１３に記載の照明装置の制御方法。
【請求項１６】
前記制御工程では、前記測定のための消灯期間がどのグループに設定された場合でもそのグループに当該消灯期間に相当する長さだけ点灯期間を長くすることができるように前記所定の比率を定める請求項１１〜１３のいずれか１項に記載の照明装置の制御方法。
【請求項１７】
前記制御工程では、どのグループについても、そのグループを構成するパルス幅変調の周期のうち最後の周期に、前記測定のための消灯期間に相当する長さ以上の長さの消灯期間が存在するように前記所定の比率を定める請求項１６に記載の照明装置の制御方法。
【請求項１８】
前記制御工程では、１フレーム期間内の光源の点灯期間の長さに応じて前記所定の比率を変更する請求項１１〜１７のいずれか１項に記載の照明装置の制御方法。
【請求項１９】
前記複数の光源は、各々１又は複数の光源からなる複数のエリアによって分けられ、
前記制御工程では、映像信号に応じてエリア毎に１フレーム期間内の光源の点灯期間を決定する請求項１１〜１８のいずれか１項に記載の照明装置の制御方法。
【手続補正２】
【補正対象書類名】明細書
【補正対象項目名】００２４
【補正方法】変更
【補正の内容】
【００２４】
本発明は、独立に発光を制御可能な複数の光源と、
１周期内の点灯期間と消灯期間の長さにより決まるデューティ比を周期毎に変更可能なパルス幅変調により各光源を駆動する駆動手段と、
映像信号の１フレーム期間の長さがパルス幅変調の周期の複数個分の長さである場合に、映像信号に基づいて決められる１フレーム期間内の光源の点灯期間を、それぞれが１又は複数個の周期からなる複数のグループに振り分けて複数個の周期の各々のデューティ比を決定する制御手段と、
所定の測定期間にわたって測定対象の光源から受光することにより当該測定対象の光源の輝度を測定する測定手段と、
を備え、
前記制御手段は、前記測定期間において測定対象でない光源を消灯させるとともに、所定の条件下においては、当該測定のための消灯期間が設定されるグループとは別のグループにおいて点灯期間を長くする照明装置である。
【手続補正３】
【補正対象書類名】明細書
【補正対象項目名】００２５
【補正方法】変更
【補正の内容】
【００２５】
本発明は、独立に発光を制御可能な複数の光源と、
１周期内の点灯期間と消灯期間の長さにより決まるデューティ比を周期毎に変更可能なパルス幅変調により各光源を駆動する駆動手段と、
を備える照明装置の制御方法であって、
映像信号の１フレーム期間の長さがパルス幅変調の周期の複数個分の長さである場合に、映像信号に基づいて決められる１フレーム期間内の光源の点灯期間を、それぞれが１又は複数個の周期からなる複数のグループに振り分けて複数個の周期の各々のデューティ比を決定する制御工程と、
所定の測定期間にわたって測定対象の光源から受光することにより当該測定対象の光源の輝度を測定する測定工程と、
を有し、
前記制御工程では、前記測定期間において測定対象でない光源を消灯させるとともに、所定の条件下においては、当該測定のための消灯期間が設定されるグループとは別のグループにおいて点灯期間を長くする照明装置の制御方法である。